(57)【特許請求の範囲】
【請求項１】
子機と親機とにより構成されるデジタルコードレス電話装置において、前記親機が前記子機の二次電池を充電する充電電流を供給する充電電流供給手段、前記子機がこの充電電流供給手段に接続して二次電池の充電中に前記親機から制御信号を受けた際には充電のための充電電流を遮断する切替手段、それぞれを備え、かつ前記親機は、前記充電電流の供給・遮断を検出するよう前記充電電流供給手段を監視し前記制御信号を送出した際に前記子機に供給中の充電電流の遮断を検出した場合には制御チャネルを正常と判断する一方、前記制御信号を送出した際に所定の時間経過にかかわらず前記子機に充電電流の供給を継続する場合には制御チャネルにおける干渉の発生と判断して前記制御チャネルの送信タイミングを変更して前記制御信号を送出する制御手段を備えることを特徴とするデジタルコードレス電話装置。
【請求項２】
請求項１において、前記親機の制御手段は、前記制御信号を送出した際に前記充電電流供給手段から充電電流供給中の情報を受けている場合に起動して所定の時限の計時を開始した後に前記充電電流供給手段から充電電流供給遮断の情報を受けた場合にはそれまでの計時値をクリアする一方所定の時限値に達した場合には時限値超過を通知するタイマと、このタイマから時限値超過の通知を受けた際には計数値を一つずつ加算し所定値に達した際に所定値到達を通知する一方前記充電電流供給手段から充電電流供給遮断の情報を受けた場合にはそれまでの計数値をクリアするカウンタと、このカウンタから所定値到達の通知を受けた際に前記制御信号の送信タイミングを変更する制御信号送出手段とを備えることを特徴とするデジタルコードレス電話装置。
【発明の詳細な説明】
【０００１】
【発明の属する技術分野】
本発明は、子機および親機により構成されるデジタルコードレス電話装置に関し、特に、制御チャネルを受信する待機状態の場合でも制御チャネルの干渉を検出できるデジタルコードレス電話装置に関する。
【０００２】
【従来の技術】
従来、この種のデジタルコードレス電話装置では、国際的に規格化されているパーソナルハンディホンシステム（以後、ＰＨＳと略称する）が基本になる。
【０００３】
ここで、ＰＨＳにおける制御チャネルの干渉について説明しておく。
【０００４】
図５に示される一つのＰＨＳは、一つの主装置４Ａに複数の基地局（以後、ＣＳと略称する）５Ａ１，５Ａ２が有線により接続され、図示されていない多数のコードレス電話機（以後、ＰＳと略称する）が複数のＣＳ５Ａ１，５Ａ２の内の一つと所定の無線チャネルを使用して通信を行う。同様に、別の一つのシステムとして、一つの主装置４Ｂに複数のＣＳ５Ｂ１，５Ｂ２が有線により接続されている。
【０００５】
次に、ＣＳとＰＳとの間の通信のためのリンクチャネルの設定手順の開始条件について説明する。
【０００６】
まず、各ＣＳは、主装置により指定されたタイミングまたはキャリアセンス機能により、空いているタイミングを制御チャネルとして用いて制御チャネル信号の送信を開始する。また、各ＰＳでは、間欠受信機能により待ち受けタイミングで制御チャネル信号を受ける。ＰＳが制御チャネル信号を正常に受けることによりリンクチャネルの設定手順が開始される。
【０００７】
一方、ＰＳと通信できる領域として、図５においては、ＣＳ５Ａ１，５Ａ２，５Ｂ１，５Ｂ２それぞれに対応してＡ１領域、Ａ２領域、Ｂ１領域、Ｂ２領域それぞれが存在する。これらの領域には重なり合う領域があり、チャネルが割り当てられるタイミングによっては信号に干渉が発生する恐れがある。
【０００８】
一つのシステム内、例えば、Ａシステムとして主装置４Ａに接続されるＣＳ５Ａ１，５Ａ２それぞれに対しては、主装置４Ａが有線を介して別個のタイミングを指定することにより干渉を回避することができる。
【０００９】
しかし、システムが相違する主装置４Ａ，４Ｂ間では電源立ち上げの際に干渉を回避できるタイミングを各ＣＳに設定しても、タイミングのずれのため、重なり合う領域での干渉は免れない。すなわち、図５におけるＣＳ５Ａ２におけるＡ２領域とＣＳ５Ｂ１におけるＢ１領域とが重なり合う干渉領域Ｃでは、干渉の発生は免れない。
【００１０】
干渉が発生した場合にはＰＳで制御チャネル信号が受信できず領域外、すなわち通信圏外状態になり、別の隣接ＣＳに対する制御チャネルを待ち受けることになる。
【００１１】
本発明の対象になるデジタルコードレス電話装置は、親機にＣＳの機能、また子機にＰＳの機能、それぞれを有している。
【００１２】
従って、隣接するシステムとの干渉を避けるため、親機を設置する電源立ち上げの際には親機で周囲のシステムまたは他の親機との干渉のないタイミングに制御チャネルを設定している。
【００１３】
【発明が解決しようとする課題】
上述した従来のデジタルコードレス電話装置では、親機が与えられたタイミングで制御チャネルを設定して制御チャネル信号を送出しているが、隣接するシステムまたは装置との間でタイミングのずれにより干渉の発生する機会があり、この干渉により待機中の子機が親局からの制御チャネル信号を受けることができないために通信圏外状態となり、特に、タイミング間隔がほぼ等しい場合にはこのような通信不能の状態が長期間継続する事態になるという問題点がある。
【００１４】
本発明の課題は、上記問題点を解決し、制御チャネルを待機中の子機が干渉を受けていることを検出して制御チャネルを別のタイミングに変更できるデジタルコードレス電話装置を提供することである。
【００１５】
【課題を解決するための手段】
本発明によるデジタルコードレス電話装置は、子機と親機とにより構成され、前記親機が前記子機の二次電池を充電する充電器を一体型に備えている。この構成により、近傍の他のシステムまたは他の親機による干渉を検出する仕掛けを親機の充電器および子機の充電手段に設けることができる。
【００１６】
この具体的な仕掛けは、前記親機が前記子機の二次電池を充電する充電電流を供給する充電電流供給手段、前記子機がこの充電電流供給手段に接続して二次電池の充電中に前記親機から制御信号を受けた際には充電のための充電電流を遮断する切替手段、それぞれを備え、かつ前記親機は、前記充電電流の供給・遮断を検出するよう前記充電電流供給手段を監視し前記制御信号を送出した際に前記子機に供給中の充電電流の遮断を検出した場合には制御チャネルを正常と判断する一方、前記制御信号を送出した際に所定の時間経過にかかわらず前記子機に充電電流の供給を継続する場合には制御チャネルにおける干渉の発生と判断して前記制御チャネルの送信タイミングを変更して前記制御信号を送出する制御手段とを備えることである。
【００１７】
この構成により、親機の近傍で使用される子機が待機中で親機の充電電流供給手段に接続されている場合に周辺のシステムにより干渉が発生した場合には、送信タイミングを変更して干渉を避けているので、子機は通信手順を常時、即時に正常に開始することができる。
【００１８】
【発明の実施の形態】
次に、本発明の実施の形態について図面を参照して説明する。
【００１９】
図１は本発明の実施の一形態を示す機能ブロック図である。図１に示されたデジタルコードレス電話装置は子機１と親機２とにより構成され、子機１は無線部１１、制御部１２、充電電流切替部１３、二次電池部１４、および充電用端子１５を備え、また親機２は無線部２１、制御部２２、充電電流供給部２３、電源部２４、および充電用端子２５を備えているものとする。また通信に必要な構成要素など、本発明と直接関係しない部分については図示および説明を省略する。
【００２０】
従来と相違する点は、子機１に充電電流切替部１３、親機２に充電電流供給部２３それぞれを備え、制御部１２，２２により、充電電流の切替えを制御することにより制御チャネルの送信タイミングを変更できることである。
【００２１】
無線部１１は親機２から間欠的に送られる制御チャネル信号をアンテナで受け制御部１２へ送る一方、制御部１２の指示により受けた信号をアンテナから送信するものとする。制御部１２はプロセッサおよびメモリを有しプログラム制御により子機１の動作を制御して機能を処理するものとする。本発明に関する主要動作については図３を併せ参照して後に説明する。
【００２２】
充電電流切替部１３は上記充電手段または上記切替手段であり親機２から充電用端子１５を介して充電電流を受けている場合には二次電池部１４の二次電池を充電する一方制御部１２から切替指示を受けた際には親機２から受ける充電電流を遮断するものとする。二次電池部１４は二次電池を有し子機１の内部に電源を供給し充電電流切替部１３から充電電流を受けた場合には二次電池を充電するものである。
【００２３】
無線部２１は設定されたタイミングの制御チャネルにより制御チャネル信号をアンテナから送出する一方、アンテナで受けた信号を制御部２２へ送るものとする。制御部２２は上記制御手段でありプロセッサおよびメモリを有しプログラム制御により親機２の動作を制御して機能を処理するものとする。本発明に関する主要動作については図４を併せ参照して後に説明する。
【００２４】
充電電流供給部２３は上記充電器または上記充電電流供給手段でもあり子機１と接続された場合に充電用端子２５を介して負荷を接続することにより電源部２４から充電電流を受けるものとする。また、充電電流供給部２３は、充電用端子２５を介して子機１へ供給する際には電流供給、また子機１への充電電流が遮断された際には電流遮断、いずれか一方を検出して制御部２２へ通知するものとする。
【００２５】
電源部２４は外部電源を受けて親機２の内部に電源供給すると共に充電電流供給部２３の起動により子機１の充電電流を供給するものとする。
【００２６】
次に、図１に図２を併せ参照して親機２の制御部２２による機能処理構成の一実施例について説明する。
【００２７】
制御部２２は、制御チャネル信号送出手段３１、タイマ３２、充電電流監視手段３３、カウンタ３４および制御チャネル監視手段３５を備えるものとする。
【００２８】
制御チャネル信号送出手段３１は制御チャネル監視手段３５により設定された一つの空きタイミングを制御チャネルとして制御チャネル信号を送出するものとする。制御チャネル信号送出手段３１は制御チャネル信号を送出した際には計時開始の指示をタイマ３２へ送るものとする。
【００２９】
タイマ３２は制御チャネル信号送出手段３１から計時開始の指示を受け所定の時限を持った計時を開始するものとする。タイマ３２は充電電流監視手段３３から充電電流の監視情報を受け計時開始後に充電電流の遮断情報を受けた際には計時を停止して計時値をクリアする一方所定時限を計時した際にはカウンタ３４に計数値のカウントアップを指示する計数指示を送るものとする。
【００３０】
充電電流監視手段３３は充電電流供給部２３から受ける充電電流の状態通知を監視し状態通知を監視情報としてタイマ３２に送るものとする。また、充電電流監視手段３３は充電電流の供給遮断の通知を受けた際にはタイマ３２およびカウンタ３４にクリア情報を送るものとする。
【００３１】
カウンタ３４はタイマ３２から計数指示を受けて計数値を一つずつカウントアップし所定値に達した際には監視要求を制御チャネル監視手段３５に送るものとする。カウンタ３４は所定値に達する前に充電電流監視手段３３からクリア情報を受けた際には計数を停止して計数値をクリアするものとする。
【００３２】
制御チャネル監視手段３５はカウンタ３４から監視要求を受けた際に制御チャネルのためにタイミングを監視し空きタイミングの一つを選択して制御チャネルに設定し制御チャネル信号送出手段３１に通知するものとする。この際、設定中の制御チャネルとは異なる送信タイミングが選択され設定されるものとする。
【００３３】
次に、図３に図１を併せ参照して子機１の本発明に関する機能処理について説明する。
【００３４】
子機１では、アンテナから無線部１１を介して制御チャネル信号を正常に受付けた場合（手順Ｓ１）、制御部１２が制御チャネルに干渉がないと判断する。上記手順Ｓ１により、制御部１２は充電電流切替部１３に切替指示を送る。
【００３５】
充電電流切替部１３は充電用端子１５を介して充電電流を受け二次電池部１４に供給して充電中の場合（手順Ｓ２のＹＥＳ）では制御部１２から切替指示を受けた際に充電電流の受電を遮断する（手順Ｓ３）。充電電流切替部１３は手順Ｓ３に次いで所定のタイミングの後に切替を復旧し充電電流の受電を再開する（手順Ｓ４）。
【００３６】
次に、図４に図１および図２を併せ参照して親機２の本発明に関する機能処理について制御部２２の動作手順に基づいて説明する。
【００３７】
まず、制御部２２の制御チャネル信号送出手段３１は、無線部２１を介して設定されている制御チャネルにより制御チャネル信号をアンテナから間欠的に送出する（手順Ｓ１１）と共に、タイマ３２に計時の開始を指示する。
【００３８】
タイマ３２は計時の開始指示を受けた際に充電電流監視手段３３から監視情報として充電電流供給中を受けている場合（手順Ｓ１２のＹＥＳ）に所定の時限値に対して計時を開始する（手順Ｓ１３）。
【００３９】
上記説明のように、充電電流を供給されている子機が送出された制御チャネル信号を正常に受けた場合、供給中の充電電流は遮断される。従って、親機２の充電電流供給部２３の電流状態通知は充電電流の供給遮断に変化する。
【００４０】
充電電流監視手段３３は、電流状態通知による充電電流の供給遮断を受けタイマ３２に通知する。タイマ３２は、所定の時限値に到達する前（手順Ｓ１４のＮＯ）に充電電流の供給遮断の通知を受けた場合（手順Ｓ１５）、自分の計時を停止して計時値をクリアすると共にカウンタ３４にクリア指示を送って計数を停止させると共に計数値をクリアさせる（手順Ｓ１６）。
【００４１】
一方、上記手順Ｓ１４が“ＹＥＳ”でタイマ３２で所定の時限値に到達した場合、タイマ３２はカウンタ３４へ計数指示を送る。カウンタ３４は計数指示を受けて計数値Ｎを計数値“Ｎ＋１”にカウントアップする（手順Ｓ２１）。
【００４２】
この結果、計数値が所定値に達しない場合（手順Ｓ２２のＮＯ）、親機２は次の制御チャネル信号を送出する手順Ｓ１１に戻り、手順を繰り返す。
【００４３】
上記手順Ｓ２２が“ＹＥＳ”で計数値が所定値に達した場合、カウンタ３４は制御チャネル監視手段３５に監視要求を送る（手順Ｓ２３）。同時にカウンタ３４はタイマ３２へクリア指示を送りタイマ３２の計時値をクリアさせると共に計数値をクリアして初期状態に戻る（手順２４）。
【００４４】
制御チャネル監視手段３５は監視要求を受け制御チャネルを監視して（手順Ｓ２５）空のタイミングに制御チャネルを設定し設定中に送信タイミングを変更して制御チャネル信号送出手段３１に通知する（手順Ｓ２６）。従って、次の手順Ｓ１１では変更されたタイミングの制御チャネルにより制御チャネル信号が送出される。
【００４５】
上記説明ではハードウェア構成により説明したが、ソフトウェア処理することもできる。
【００４６】
また、充電器として親機に含まれる充電電流供給部は、一体型構造とすることにより、小規模なシステムには低コストで本機能を持つことができる。また、充電用端子、または、充電用端子および充電電流供給部を親機本体からコードまたはケーブルにより接続する構造により親局本体が基地局となる大きなシステムに採用することも可能である。
【００４７】
上記説明では、機能ブロックおよび動作手順を図示して説明したが、機能の分離併合によるブロックの構成の変更、または手順の平行処理、前後の入れ替えなどによる変更は、上記機能を満たす限り自由であり、上記説明が本発明を限定するものではない。
【００４８】
【発明の効果】
以上説明したように本発明によれば、親機が有する充電器で子機の二次電池を充電する際に、親機と子機との間の制御チャネル信号の授受の異常を検出して制御チャネルの干渉発生を判断し他のタイミングによる制御チャネルに変更して使用する構成が得られている。この構成によって、制御チャネルの干渉発生のために子機が即座に通信を開始できないような状態を回避できる効果を得ることができる。更に、充電器が親機に一体型構造とすることにより、小規模なデジタルコードレス電話装置において周辺のシステムにより干渉発生の機会が多い場合に特に効果が大きい。
【図面の簡単な説明】
【図１】本発明の実施の一形態を示す機能ブロック図である。
【図２】図１における部分詳細の実施の一形態を示す機能ブロック図である。
【図３】本発明による子機の主要動作手順の一形態を示すフローチャートである。
【図４】本発明による親機の主要動作手順の一形態を示すフローチャートである。
【図５】基地局（ＣＳ）の干渉領域の一例を示すシステム関連図である。
【符号の説明】
１    子機
２    親機
１１、２１    無線部
１２、２２    制御部
１３    充電電流切替部
１４    二次電池部
１５、２５    充電用端子
２３    充電電流供給部
２４    電源部
３１    制御チャネル信号送出手段
３２    タイマ
３３    充電電流監視手段
３４    カウンタ
３５    制御チャネル監視手段
【図１】
0003844319.tif 000002
【図２】
0003844319.tif 000003
【図３】
0003844319.tif 000004
【図４】
0003844319.tif 000005
【図５】
0003844319.tif 000006